(57)【要約】【課題】本発明は以上の問題に鑑み、インナーシール材製造工程中あるいは開封時においての不良発見を容易にし、容器または内容物に対する金属探知機の使用を可能にし、焼却残渣を低減し、焼却炉の損傷を軽減することのできるインナーシール材を提供することを目的とする。【解決手段】蓋部材内部に備えられ蓋部材を容器の口部に装着して容器を封止するインナーシール材であって、インナーシール材は上シート材と下シート材からなり、上シート材と下シート材とは剥離可能に接合され、下シート材には無機化合物からなるバリア層を有するバリアフィルムが貼り合わせてあり、下シート材は上シート材との接合面とは反対側の表面において容器の口部と接合可能であることを特徴とするインナーシール材である。【選択図】図１
2014037277.tif 000002
【特許請求の範囲】
【請求項１】
蓋部材内部に備えられ蓋部材を容器の口部に装着して容器を封止するインナーシール材であって、
インナーシール材は上シート材と下シート材からなり、
上シート材と下シート材とは剥離可能に接合され、
下シート材には無機化合物からなるバリア層を有するバリアフィルムが貼り合わせてあり、
下シート材は上シート材との接合面とは反対側の表面において容器の口部と接合可能であることを特徴とするインナーシール材。
【請求項２】
無機化合物層を蒸着法を用いて基材フィルム上に形成したのち、無機化合物を主体としたコーティング剤を無機化合物層に重ねて層形成し、バリアフィルムとしたことを特徴とする請求項１に記載のインナーシール材。
【発明の詳細な説明】
【技術分野】
【０００１】
本発明は、容器封止構造およびインナーシール材に関する。特にインナーシール材を有する蓋部材を容器の口部に装着して容器を封止する容器封止構造およびそれに用いるインナーシール材に関する。
【背景技術】
【０００２】
従来、コーヒー等の吸湿性の高い内容物を収納した容器の口部を封止する手段として、また開封したのち繰り返しの開閉においても、密封性や遮断性を維持するための封止構造としてインナーシール材が用いられている。
インナーシール材による封止構造は、蓋部材の内側に密封性、遮断性を維持するためのリシール層と呼ばれる上シート材（以下、上シート材とする）を設け、また容器の口部を覆って接合され内容物を密封するシール層と呼ばれる下シート材（以下、下シート材とする）を設けてなる封止構造である。
そのほか医薬品の錠剤の薬効低下を防止するためにもインナーシール材が用いられ、同様の密封性、遮断性が求められる。
【０００３】
これらの用途においては、さらに内容物のすり替え、改竄防止といった効能も求められるため一旦開封されたものは未開封のものと明確かつ容易に判別できなければならない。また開封された後には、繰り返し内容物の取り出し、再封止が繰り返されるために開封後も一定の密封性が要求される。
【０００４】
そのためインナーシール材により容器を封止する場合、上シート材に下シート材を剥離可能に積層し、このインナーシール材を蓋部材の中において容器口部に締め込んだ状態で、下シート材と容器の口部とを接合する。
使用時に蓋部材を外すと、上シート材が下シート材から剥離されて蓋部材とともに取り外され、下シート材だけが口部に残る。
この状態において、一旦開封されたものは明確に識別が可能になり、内容物のすり替え、改竄を防止することができる。
【０００５】
ユーザーは、露出した下シート材を容器口部から剥離して取り去るか、あるいは穴を開けるなどして開口部を設け、内容物を取り出すことができる。
下シート材の一部または全部が除去された後は、蓋部材を再び締め込むことによって、上シート材と容器口部とが密着して容器を封止することができる。
密封性や遮断性を満たすためにインナーシール材のバリア層としてアルミニウム箔が多く用いられている。
【先行技術文献】
【特許文献】
【０００６】
【特許文献１】特許第２６８２３１５号公報
【発明の概要】
【発明が解決しようとする課題】
【０００７】
インナーシール材において、下シートを構成する層には、密封性や遮断性を満たすためのバリア層としてアルミニウム箔が多く用いられている。
しかしながらアルミニウム箔は金属であるがゆえに透明性に欠け、インナーシール材の製造工程中あるいはシール後の開封の状態において、外観目視検査あるいは検査カメラなどによる不良発見が困難となる問題がある。
【０００８】
またアルミニウム箔は、金属であるがゆえに内容物または容器に対しての金属探知機の使用が制限される問題がある。
さらに容器が廃棄された後、焼却された際に焼却残渣が残りやすい問題があり、アルミニウム箔が燃焼する際に発する高熱による焼却炉の損傷の問題も指摘されている。
【０００９】
本発明は以上の問題に鑑み、インナーシール材製造工程中あるいは開封状態においての不良発見を容易にし、容器または内容物に対する金属探知機の使用を可能にし、焼却残渣を低減し、焼却炉の損傷を軽減することのできるインナーシール材を提供することを目的とする。
【課題を解決するための手段】
【００１０】
上記の課題を解決するための手段として、請求項１に記載の発明は、蓋部材内部に備えられ蓋部材を容器の口部に装着して容器を封止するインナーシール材であって、インナーシール材は上シート材と下シート材からなり、上シート材と下シート材とは剥離可能に接合され、下シート材には無機化合物からなるバリア層を有するバリアフィルムが貼り合わせてあり、下シート材は上シート材との接合面とは反対側の表面において容器の口部と接合可能であることを特徴とするインナーシール材である。
【００１１】
また、請求項２に記載の発明は、無機化合物層を蒸着法を用いて基材フィルム上に形成したのち、無機化合物を主体としたコーティング剤を無機化合物層に重ねて層形成し、バリアフィルムとしたことを特徴とする請求項１に記載のインナーシール材である。
【発明の効果】
【００１２】
本発明に係る請求項１および２に記載のインナーシール材によれば、バリア層としてのアルミニウム箔に替えて無機化合物をバリア層とするバリアフィルムを使用することにより、バリア性を損なうことはない。
またフィルムが透明であることにより貼り合わせの工程中、あるいは開封時状態において検査カメラや目視による不良検出が容易になり、アルミニウム箔を配することにより金属探知機の使用が可能になり、また廃棄された後の焼却において残渣が低減され、焼却炉の損傷を軽減することが可能となる。
【図面の簡単な説明】
【００１３】
【図１】本発明のインナーシール材を用いて容器を封止したときの一例の断面模式図である。
【図２】本発明のインナーシール材を用いて封止した後、開封した時の一例の断面模式図である。
【図３】本発明のインナーシール材の実施形態のうち、第一の実施形態でありクリアータイプと呼ばれる一例の断面模式図である。
【図４】本発明に係るバリアフィルムの実施形態の、一態様の断面模式図である。
【図５】本発明のインナーシール材の実施形態のうち、第二の実施形態であり発泡タイプと呼ばれる一例の断面模式図である。
【図６】本発明のインナーシール材の実施形態のうち、第三の実施形態でありワックスタイプと呼ばれる一例の断面模式図である。
【図７】本発明のインナーシール材の実施形態のうち、第四の実施形態でありレクトラタイプと呼ばれる一例の断面模式図である。
【発明を実施するための形態】
【００１４】
以下本発明を実施するための形態について、添付図面を参照しながら説明する。
実施形態が異なる場合であっても、同一または相当する部材には同一の符号を付し重複す
る説明は省略する。
【００１５】
図１は、本発明のインナーシール材を用いて容器を封止したときの一例の断面模式図である。
蓋部材（１）の内部には上シート材（３）およびバリアフィルム（９）を含む下シート材（５）からなるインナーシール材（１５）がはめ込まれており、容器口部（２）と接合されている。
【００１６】
図２は本発明のインナーシール材（１５）を用いて封止した後、開封した時の一例の断面模式図である。
蓋部材（２）がスクリュータイプで、回転して開封する場合には、蓋部材（１）と容器口部（２）に設けられた螺旋（４）によって蓋部材が上昇し、上シート材（３）は蓋部材（１）に嵌合されており、下シート材（５）は容器口部（２）に接合されているため、インナーシール材（１５）は剥離して二分割される。
【００１７】
(実施形態１)
図３は本発明のインナーシール材の実施形態のうち、第一の実施形態でありクリアータイプと呼ばれる一例の断面模式図である
インナーシール材（１５）は上シート材（３）および下シート材（５）からなり、上シート材（３）は板紙（６）と無延伸ポリプロピレン（８）がワックス層（７）を介して貼り合わされている。
さらに容器口部に近い側にはポリエチレン（１０）層が設けてあり、バリアフィルム（９）と剥離可能に接合される。
バリアフィルム（９）には無機化合物からなるバリア層をフィルム上に設けてあるが、上シート材（３）と接合する際にはフィルム側と接合することでバリア層を保護することができ、より望ましい。
下シート材（５）は、上シートに近い順にバリアフィルム（９）、ポリエチレン（１０）、グラシン紙（１１）の順に積層される。
グラシン紙（１１）は、グルーによって容器口部（２）に接合され、インナーシール材（１５）を固定する。
開封時には開封時剥離部（２０）を境にして上シート材（３）と下シート材（５）が剥離して分離される。
【００１８】
図４は本発明に係るバリアフィルムの実施形態の、一態様の断面模式図である。
バリアフィルム（９）はフィルム層（１６）およびバリア層からなり、バリア層は無機化合物蒸着によるバリア層（１７）、無機化合物コーティングによるバリア層（１８）からなる。
【００１９】
フィルム層は高分子樹脂組成物からなるフィルムであって、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロン-６、ナイロン-６６等）、ポリイミドなどが使用でき、用途に応じて適宜選択される。
特にポリプロピレン、ポリエチレンテレフタレートを基材フィルムとする場合は、フィルム強度と価格においてより好ましい。
【００２０】
蒸着層を形成する方法としては，ＳｉＯやＡｌＯなどの無機化合物を蒸着法を用いて基材フィルム上に蒸着層を形成することができる。
また水溶性高分子と、（a）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコート層を蒸着層に重ねて形成しバリア層とすることができる。
【００２１】
バリア層としてアルミニウム箔を用いる従来のインナーシール材と比べて、本発明による無機化合物をバリア層とするバリアフィルムを用いる場合には、バリア層を透明にすることができるため、インナーシール材製造工程中あるいは開封状態においての不良発見を容易にし、また金属であるアルミニウム箔を用いないということから、容器または内容物に対する金属探知機の使用を可能にし、焼却残渣を低減し焼却炉の損傷を軽減することができる。
【００２２】
(実施形態２)
図５は本発明のインナーシール材の実施形態のうち、第二の実施形態であり発泡タイプと呼ばれる一例の断面模式図である。
この実施形態においては上シート材（３）に延伸ポリプロピレン（１３）および発泡ポリエチレン（１２）を用いていることから、開封後の繰り返しの使用に対してもより強固に密封性が確保できる特徴を有する。
下シート（５）にはバリアフィルム（９）が含まれており、その構成は実施形態１と同様である。
【００２３】
(実施形態３)
図６は本発明のインナーシール材の実施形態のうち、第三の実施形態でありワックスタイプと呼ばれる一例の断面模式図である。
これは上シート（３）においてワックス層（７）を剥離層とする点が実施形態１のクリアータイプと異なっており、層構成においてはより単純なものになっている。
下シート（５）にはバリアフィルム（９）が含まれており、その構成は実施形態１と同様である。
【００２４】
(実施形態４)
図７は本発明のインナーシール材の実施形態のうち、第四の実施形態でありレクトラタイプと呼ばれる一例の断面模式図である。
上シート（３）は実施形態３と同様である。
下シート（５）にはバリアフィルム（９）が含まれている。
下シート（５）において、グラシン紙（１１）は使用せず、シール層として特殊ポリエチレン（１４）を用い、またインナーシール材を容器口部（２）にシールをする際にレクトラシール機を用いることにより、容器口部からの剥離において界面剥離となり、グラシン紙（１１）やインナーシール材を接合した際のグルーが残ることなく、容器口部がよりきれいになる特徴を持つ。
【００２５】
実施形態１〜４においていずれの場合でも、アルミニウム箔に替えて無機化合物の蒸着、およびコーティングによるバリア層を有するバリアフィルムを用いてインナーシール材を作ることができ、インナーシール材製造工程中あるいは開封状態においての不良発見を容易にし、容器または内容物に対する金属探知機の使用を可能にし、焼却残渣を低減し焼却炉の損傷を軽減することのできるインナーシール材を実現することができる。
【符号の説明】
【００２６】
１・・・蓋部材
２・・・容器口部
３・・・上シート
４・・・螺旋
５・・・下シート
６・・・板紙
７・・・ワックス層
８・・・無延伸ポリプロピレン
９・・・バリアフィルム
１０・・・ポリエチレン
１１・・・グラシン紙
１２・・・発泡ポリエチレン
１３・・・延伸ポリプロピレン
１４・・・特殊ポリエチレン
１５・・・インナーシール材
１６・・・フィルム層
１７・・・無機化合物蒸着によるバリア層
１８・・・無機化合物コーティングによるバリア層
２０・・・開封時剥離部
【図１】
2014037277.tif 000003
【図２】
2014037277.tif 000004
【図３】
2014037277.tif 000005
【図４】
2014037277.tif 000006
【図５】
2014037277.tif 000007
【図６】
2014037277.tif 000008
【図７】
2014037277.tif 000009